(57)【要約】【課題】足の関節の適切な噛み合いをより高度なレベルで、自然に保持可能とする靴の中敷きを提供する。【解決手段】靴の底面の全体に配置されるシート部と、シート部よりも硬質の素材で形成された支持プレートとを備え、シート部及び支持プレートは、アーチ型に湾曲させかつ端部を上方に立ち上げた内湾曲面部と、アーチ型に湾曲させかつ端部を上方に立ち上げた外側壁部と、前記内側壁部と前記外側壁部との間に形成された中央壁部と、を有し、支持プレートは、内側壁部と中央壁部との境上に形成された内側凸条部及び前記外側壁部と中央壁部との境上に形成された外側凸条部を有し、支持プレートの前記内側壁部及び前記外側壁部のそれぞれに、支持プレートの長手方向に沿って複数の貫通孔が形成され、内側凸条部と外側凸条部との間に位置する前記中央壁部の少なくとも上面は、前記支持プレートの長手方向にアーチを描くように湾曲している。【選択図】図１
2021085574.tif 000002
【特許請求の範囲】
【請求項１】
足の指を配置させるように形成された爪先部、足の幅が左右に最も張り出す中足骨の先端部を配置させるように形成された張り出し部、中足骨から外果の直下までを配置させるように形成されたアーチ部、及び外果の直下とその後方の踵骨を配置させるように形成された踵部を有し靴の底面の全体に配置されるシート部と、
前記シート部の前記アーチ部及び踵部の下面に貼り合わされ、前記シート部よりも硬質の素材で形成された支持プレートとを備え、
前記シート部及び前記支持プレートは、前記アーチ部において、少なくとも第１中足骨を配置させるようにアーチ型に湾曲させかつ端部を上方に立ち上げた内側壁部と、少なくとも第５中足骨を配置させるようにアーチ型に湾曲させかつ端部を上方に立ち上げた外側壁部と、前記内側壁部と前記外側壁部との間に形成された中央壁部と、を有し、
前記支持プレートは、前記内側壁部と前記中央壁部との境上に形成された内側凸条部及び前記外側壁部と前記中央壁部との境上に形成された外側凸条部を有し、
前記支持プレートの前記内側壁部及び前記外側壁部のそれぞれに、前記支持プレートの長手方向に沿って複数の貫通孔が形成され、
前記内側凸条部と前記外側凸条部との間に位置する前記中央壁部の少なくとも上面は、前記支持プレートの長手方向にアーチを描くように湾曲している靴の中敷き。
【請求項２】
前記シート部及び前記支持プレートは、外果の真下を位置させる踵部及び／又はアーチ部の基端部に側面から対向させるよう上方に突出した延出部を有している請求項１に記載の靴の中敷き。
【請求項３】
前記支持プレートは、硬度４０Ｄ以上７２Ｄ未満で形成され、一定の厚さで前記シート部の下面形状に沿って配されている請求項１又は２に記載の靴の中敷き。
【請求項４】
前記支持プレートは、硬度４５Ｄ以上６５Ｄ未満で形成され、一定の厚さで前記シート部の下面形状に沿って配されている請求項１又は２に記載の靴の中敷き。
【請求項５】
前記支持プレートの踵部には、前記シート部の一部を嵌合させる開口部が形成されている請求項１から４のいずれか一項に記載の靴の中敷き。
【請求項６】
前記シート部は、異なる硬度及び反発弾性率を有する少なくとも２層の発泡樹脂層を備え、
上面側の第１層及び前記第１層の下側に設けられた第２層は、エチレン酢酸ビニル共重合体を主成分とする反発弾性樹脂層を構成し、
前記第１層及び前記第２層において、アスカーゴム硬度計（Ｃ型）を用いた測定硬度とＩＳＯ４６６２により計測した反発弾性率とが以下に示す関係にある請求項１から５のいずれか一項に記載の靴の中敷き。
測定硬度    前記第１層＜前記第２層
反発弾性率  前記第１層＜前記第２層
【請求項７】
前記第２層のアスカーゴム硬度計（Ｃ型）を用いた測定硬度は、５０以上６０以下であって、前記第２層のＩＳＯ４６６２により計測した反発弾性率は、５５％以上６５％以下である請求項６に記載の靴の中敷き。
【請求項８】
前記第１層のアスカーゴム硬度計（Ｃ型）を用いた測定硬度は、２３以上２８以下であって、前記第１層のＩＳＯ４６６２により計測した反発性は、４７％以上５３％以下である請求項６又は７に記載の靴の中敷き。
【請求項９】
前記シート部は、異なる反発弾性率を有する少なくとも２層の発泡樹脂層を備え、
上面側の第１層は、ポリウレタン発泡樹脂層を構成し、
前記第１層の下側に設けられた第２層は、エチレン酢酸ビニル共重合体を主成分とする反発弾性樹脂層を構成し、
前記第２層のアスカーゴム硬度計（Ｃ型）を用いた測定硬度は、５０以上６０以下であって、前記第２層のＩＳＯ４６６２により計測した反発弾性率は、５５％以上６５％以下である請求項１から５のいずれか一項に記載の靴の中敷き。
【発明の詳細な説明】
【技術分野】
【０００１】
本発明は、靴の中敷きに関する。
【背景技術】
【０００２】
運動時、人の身体、とりわけ足の関節ひいては足腰に負担がかかることによって、身体に痛みや歪みが生じることを考慮して、本願の発明者は、本願に類似する発明として靴を履いた際の足の骨格のバランスを整えることができる靴の中敷きを開発している（例えば、下記特許文献１）。
特許文献１に記載の靴の中敷きは、足裏の略全体を配置させるシート部の上面側に、母趾球よりもやや踵側の中央部分に対向するように、中央凸部とその両側に中央凹部を設けている。また、特許文献１に記載の靴の中敷きは、シート部の下面側の略中央から踵に対応させる部分までを略覆い得るように装着させた硬質の支持プレートを備えている。この支持プレートには、シート部の一部を嵌合させる貫通孔が支持プレートの両側縁に略沿って２列形成されている。また、支持プレートには、２列の貫通孔の内側に、中敷きの長手方向に延びる凸条部が形成されている。
上記構成によって、特許文献１の中敷きは、足の骨格を好ましい位置に配置し、歩行時等の運動時における足や身体の歪みに基づく負担を軽減するという非常に優れた効果を奏している。
【先行技術文献】
【特許文献】
【０００３】
【特許文献１】特開２０１５−０８５１３４号公報
【発明の概要】
【発明が解決しようとする課題】
【０００４】
足は、とりわけ多数の骨が組み合わされて構成されているが、身体全体の体重を支えているため、足の関節の少しのずれで姿勢のバランスが崩れ得る。また、足の関節のずれが生じると足より上の関節において姿勢の崩れを補おうとするため、足以外の全く異なる部分に日々負担をかけ、身体を傷めるということもある。したがって、関節の適切な噛み合いをより高度なレベルで、かつ、足の動きをいたずらに制限することなく自然に保持することが求められる。
そこで、発明者は、関節の適切な噛み合いをより高度なレベルで、かつ、足の動きを徒に制限することなく自然に保持可能な靴の中敷きを開発した。
【課題を解決するための手段】
【０００５】
本発明の靴の中敷きは、足の指を配置させるように形成された爪先部、足の幅が左右に最も張り出す中足骨の先端部を配置させるように形成された張り出し部、中足骨から外果の直下までを配置させるように形成されたアーチ部、及び外果の直下とその後方の踵骨を配置させるように形成された踵部を有し靴の底面の全体に配置されるシート部と、前記シート部の前記アーチ部及び踵部の下面に貼り合わされ、前記シート部よりも硬質の素材で形成された支持プレートとを備え、前記シート部及び前記支持プレートは、前記アーチ部において、少なくとも第１中足骨を配置させるようにアーチ型に湾曲させかつ端部を上方に立ち上げた内側壁部と、少なくとも第５中足骨を配置させるようにアーチ型に湾曲させかつ端部を上方に立ち上げた外側壁部と、前記内側壁部と前記外側壁部との間に形成された中央壁部と、を有し、前記支持プレートは、前記内側壁部と前記中央壁部との境上に形成された内側凸条及び前記外側壁部と前記中央壁部との略境上に形成された外側凸条を有し、前記支持プレートの前記内側壁部及び前記外側壁部のそれぞれに、前記支持プレートの長手方向に沿って複数の貫通孔が形成され、前記内側凸条部と前記外側凸条部との間に位置する前記中央壁部の少なくとも上面は、前記支持プレートの長手方向にアーチを描くように湾曲している。
この構成によれば、シート部の中央後壁部のアーチ形状が支持プレートの中央後壁部の上面形状に支持され、シート部上面に配置される足に的確にアーチ形状を形成することが可能となる。【０００６】
本発明の靴の中敷きの前記シート部及び前記支持プレートは、外果の真下に位置する踵部及び／又はアーチ部の基端部に側面から対向させるよう上方に突出した延出部を有していてもよい。
この構成によれば、外果の真下に位置する踵部及び／又はアーチ部の基端部すなわち立方骨の下方部分を外側から支持して足の骨格の崩れを防止することができる。【０００７】
本発明の靴の中敷きの前記支持プレートは、硬度４０Ｄ以上７２Ｄ未満で形成され、一定の厚さで前記シート部の下面形状に沿って配されていてもよい。
この構成によれば、支持プレートによる足への負担を軽減することが出来る。【０００８】
本発明の靴の中敷きの前記支持プレートは、硬度４０Ｄ以上６５Ｄ未満で形成され、一定の厚さで前記シート部の下面形状に沿って配されていてもよい。
この構成によれば、支持プレートによる足への負担をより軽減することが出来る。【０００９】
本発明の靴の中敷きの前記支持プレートの踵部には、前記シート部の一部を嵌合させる開口部が形成されていてもよい。
この構成によれば、シート部及び支持プレートの中央後壁部により形成されるアーチ形状によって足に縦アーチ形状が形成されることにより乗りやすくなる踵部への体重を適切に受けつつ、足に掛かる体重のバランスを保たせ易くなる。【００１０】
本発明の靴の中敷きの前記シート部は、異なる硬度及び反発弾性率を有する少なくとも２層の発砲樹脂層を備え、上面側の第１層及び前記第１層よりも下側に設けられた第２層がエチレン酢酸ビニル共重合体を主成分とする反発弾性樹脂層を構成するのが好ましい。
さらに、前記第１層と前記第２層は、アスカーゴム硬度計（Ｃ型）を用いた測定硬度とＩＳＯ４６６２により計測した反発弾性率が以下に示す関係にあるのが好ましい。
測定硬度    前記第１層＜前記第２層
反発弾性率  前記第１層＜前記第２層【００１１】
より具体的には、前記第２層のアスカーゴム硬度計（Ｃ型）を用いた測定硬度が５０以上６０以下かつＩＳＯ４６６２により計測した反発弾性率が５５％以上６５％以下であるのが好ましく、前記第１層は、アスカーゴム硬度計（Ｃ型）を用いた測定硬度が、２３以上２８以下かつＩＳＯ４６６２により計測した反発弾性率が４７％以上５３％以下であるのが更に好ましい。
【発明の効果】
【００１２】
本発明は、足の関節の適切な噛み合いをより高度なレベルで、かつ、足の動きを徒に制限することなく自然に保持可能とするという効果を奏する。
【図面の簡単な説明】
【００１３】
【図１】本発明の一の実施形態に係る靴の中敷きを示す下面図である。
【図２】本発明の一の実施形態に係る靴の中敷きを示す右側面図である。
【図３】（ａ）右足の骨格を正面から視た模式図である。（ｂ）右足の骨格を外側（小指側）から視た模式図である。
【図４】図１のＡ−Ａ線矢視断面図である。
【図５】本発明の一の実施形態に係る靴の中敷きを示す上面図である。
【図６】（ａ）本発明の一の実施形態に係る靴の中敷きの支持プレートを示す下面図である。（ｂ）本図（ａ）のＢ−Ｂ線矢視断面図である。
【図７】本発明の一の実施形態に係る靴の中敷きを示す左側面図である。
【発明を実施するための形態】
【００１４】
以下、図面を参照して、本発明の靴の中敷きの実施形態について説明する。なお、以下の説明で用いる図の各部分の寸法は実際のものと同一とは限らず、適宜変更することができる。
【００１５】
図１及び図２に示すように、本発明の一の実施形態の靴の中敷き１は、不図示の靴の底面の全体に配置されるシート部２と、シート部２の長手方向の中央部分から踵部分に亘ってシート部２を下方から覆う支持プレート３とを備えている。
【００１６】
シート部２は、先端から後端に向けて、爪先部４、左右の幅が最も張り出した張り出し部５、アーチ部６、及び踵部７を有している。
爪先部４は、足の指を配置させるように形成された部分である。
張り出し部５は、足の幅が左右に最も張り出す図３に示す中足骨５０の先端部（すなわち母趾球から小趾球）を配置させるように形成された部分である。
【００１７】
踵部７は、図３に示す外果６１の直下とその後方の踵骨６２を配置させるように形成された部分である。
アーチ部６は、図３に示す張り出し部５を除く中足骨５０から外果６１の直下までを配置させるように形成された部分である。
シート部２の外形は、全体として概ね足の平面視の外形に沿うように形成されている。
【００１８】
シート部２のアーチ部６は、主に図３に示す第１中足骨５１を配置させるように形成された内側壁部８と、主に図３に示す第５中足骨５５を配置させるように形成された外側壁部９と、内側壁部８と外側壁部９との間に形成された中央壁部１０とを有している。
【００１９】
詳細には、内側壁部８は、図３に示す主に第１中足骨５１を配置させるように上方に突出するアーチ型に湾曲させかつ端部を上方に滑らかに立ち上げた部分である。内側壁部８の下面側には、長手方向に間隔を空けて複数の突起１１が形成されている。
外側壁部９は、図３に示す主に第５中足骨５５を配置させるように上方に突出するアーチ型に湾曲させかつ端部を上方に立ち上げた部分である。外側壁部９の下面側には、長手方向に間隔を空けて複数の突起１２が形成されている。
【００２０】
中央壁部１０は、図４に示すように、図１のＡ−Ａ断面視で、上下面が共に爪先部４に向かって略直線状に上方に傾斜する中央前壁部１０ａと、上下面が共に前後方向にアーチ形状を描くように湾曲している中央後壁部１０ｂとを有している。
中央後壁部１０ｂは、略一定の厚さで、中央前壁部１０ａは中央後壁部１０ｂよりもやや厚みを以って形成されている。
【００２１】
図２及び図４に示すように、シート部２の踵部７は、足の踵の下端部分を側面側から取り囲んで保持することが出来るように、端部が立ち上がり部７ｗを有している。内側壁部８、立ち上がり部７ｗ及び外側壁部９は、滑らかに連なっている。
図１及び図４に示すように、シート部２の踵部７の下面側には、踵部７に掛かる体重を吸収する肉厚部１３が形成されている。
【００２２】
図５に示すように、シート部２の上面であって、中央前壁部１０ａの幅方向略中央には、隆起して前後方向に延びる中央凸部１４が形成されている。中央凸部１４は、いわゆる爪先立ちをした際に体重を支える母趾球の直ぐ後方内側の足のくぼみをフィットさせ得るように形成されている。中央凸部１４の左右両側は、相対的にやや凹んでいる。
【００２３】
シート部２は、ゴムや合成樹脂等により成型され、好ましくはエチレン酢酸ビニル共重合体（ＥＶＡ）等の軟質合成樹脂により成形されている。シート部２の硬度は、アスカーゴム硬度計（Ｃ型）を用いた測定で２２以上８０以下の範囲で形成されているとよい。
【００２４】
図１、図４又は図６に示すように、支持プレート３は、シート部２の形状に沿ってアーチ部６から踵部７までを覆って密着している。
具体的には、支持プレート３は、シート部２の各部に対応するアーチ部６’、アーチ部６’を構成する内側壁部８’、外側壁部９’、中央前壁部１０ａ’、中央後壁部１０ｂ’及び踵部７’を有している。また、支持プレート３の踵部７’も、足の踵の側面を取り囲んで保持する立ち上がり部７ｗ’を有している。
【００２５】
支持プレート３は、内側壁部８’と中央後壁部１０ｂ’との間、外側壁部９’と中央後壁部１０ｂ’との間の略境上、すなわち略線Ｌ上又は線Ｌに沿ってそれぞれ内側凸条部１５及び外側凸条部１６を有している。
内側凸条部１５は、図２に示すように、内側壁部８’を側面視した際に下端に表れるアーチ形状に略平行なアーチ状に形成されている。外側凸条部１６は、図７に示すように、外側壁部９’を側面視した際に下端に表れるアーチ形状に略平行なアーチ状に形成されている。
【００２６】
内側凸条部１５及び外側凸条部１６は、共に略一定の幅寸法で帯状に形成されている。
支持プレート３の中央前壁部１０ａ’は、シート部２と同形状すなわち略偏平形状に形成されている。支持プレート３の中央後壁部１０ｂ’は、全体として略一定の厚みで、その上面及び下面が、シート部２の中央後壁部１０ｂの下面及び内側凸条部１５及び外側凸条部１６とほぼ同じ長手方向のアーチ形状を形成している。
【００２７】
図１に示すように、内側壁部８’の立ち上がり部には、支持プレート３の長手方向に沿って間隔を置いて複数の貫通孔１８が形成されている。支持プレート３の内側壁部８’に形成された貫通孔１８は、シート部２の内側壁部８の下面側に形成された突起１１を隙間なく嵌合させ得るように形成されている。支持プレート３の下面と突起１１の表面とは、面一になるように形成されている。
【００２８】
外側壁部９’には、支持プレート３の長手方向に沿って間隔を置いて複数の貫通孔１８が形成されている。支持プレート３の外側壁部９’に形成された貫通孔１８は、シート部２の外側壁部９の下面側に形成された突起１２を隙間なく嵌合させ得るように形成されている。支持プレート３の下面と突起１２の表面とは、面一になるように形成されている。
【００２９】
このように、支持プレート３がシート部２の各部の形状に合わせて形成されていることにより、図１及び図５に示すように、線Ｌを境としてその内側が中央後壁部１０ｂ’を除いて概ね平坦で地面等の水平面に接するように、線Ｌの外側が、線Ｌを境に滑らかに立ち上がるように形成されている。そして、中央後壁部１０ｂ’と、略線Ｌ上に形成された内側凸条部１５及び外側凸条部１６とにより、アーチ部６がしっかりと上げられ、足の縦アーチをサポートすることができる。
【００３０】
支持プレート３の踵部７’には、踵から掛かる荷重を吸収しつつ受ける開口部１９が形成されている。
開口部１９は、踵部７’の内側７ａ’及び後方側７ｂ’においては線Ｌに略平行に形成され、踵部７’の外側７ｃ’において線Ｌから離間するようにやや内側に延び、更に先端側７ｄ’の外側において徐々に斜めに反り上がる中央後壁部１０ｂ’に差し掛かって広がっている。
【００３１】
この構成により、足の踵と土踏まずの幅方向外側との間に亘って延び、体重が強く掛かり易い外側の腱等に掛かり得る負荷を軽減したり、外果６１の下方に向かって略垂直にかかる体重をソフトに受けられたりすることが期待できる。
【００３２】
特に、シート部２の厚さを可能な範囲で薄く形成して靴の中敷き１をスリムに形成しようとすると、支持プレート３が足裏により近づいてフィットするため、足の踵や腱等の体重が掛かり易い部分が支持プレート３の硬度による負荷を受けやすくなる。しかし、開口部１９を上記形状とすることにより、大きな体重が掛かり易い踵や腱への負荷を効果的に軽減しつつ、シート部２及び支持プレート３のフィット感を高く維持することができる。
【００３３】
図４に示すように、支持プレート３の厚さは、中央前壁部１０ａ、各貫通孔１８及び開口部１９を取り囲んでいるエッジ並びに支持プレート３の外周縁となっているエッジを除いて一定の厚さ、具体的には１．１ｍｍ以上２．１ｍｍ未満、好ましくは約２ｍｍで形成されている。
【００３４】
支持プレート３の中央前壁部１０ａ’は、中央後壁部１０ｂ’や踵部７’等よりも１０％程度薄く、具体的には、１．０ｍｍ以上１．９ｍｍ未満の厚さで形成されている。
支持プレート３の外周縁、貫通孔１８及び開口部１９を形成しているエッジは、シート部２に馴染みやすいように面取りされている。
【００３５】
支持プレート３の内側凸条部１５及び外側凸条部１６は、その周囲の中央後壁部１０ｂ’の表面から０．９ｍｍ以上１．１ｍｍ未満、好ましくは１．０ｍｍ突出している。内側凸条部１５及び外側凸条部１６のいずれも、中実に形成されている。
支持プレート３は、熱可塑性ポリウレタン（ＴＰＵ）等の硬質樹脂により形成されている。支持プレート３の硬度は、アスカーゴム硬度計（Ｄ型）を用いた測定で４０Ｄ以上７２Ｄ未満、４５Ｄ以上６５Ｄ未満の硬度で形成されている。
【００３６】
支持プレート３上面は、シート部２の下面に隙間なくかつ容易に分離できないように互いに圧着することで全体が密着している。支持プレート３の貫通孔１８及び開口部１９には、シート部２に形成されたそれぞれに対応する突起１１，１２及び肉厚部１３が嵌入されており、支持プレート３の表面と略面一となっている。
【００３７】
上記構成を有する本発明の靴の中敷き１は、以下の作用を奏する。
即ち、シート部２及び支持プレート３の内側壁部８’の下端、外側壁部９’の下端、内側凸条部１５、外側凸条部１６及び中央後壁部１０ｂ’の上下面の略同じ湾曲の縦アーチ形状により、靴の中敷き１の縦アーチの弾性力がより高められる。また、内側凸条部１５、外側凸条部１６及び中央後壁部１０ｂ’のアーチ形状により、柔軟かつ確実に足の土踏まずの幅方向中央部分（内側縦アーチと外側縦アーチとの間）を縦アーチ形状に保持している。
【００３８】
また、シート部２の中央後壁部１０ｂの上下面にしっかりと縦アーチ形状が形成され、これを支持プレート３の内側凸条部１５、外側凸条部１６及び中央後壁部１０ｂ’の上面が確実に保持しているため、張り出し部５に載せられる母趾球及び小趾球の体重並びに踵部７に載せられる踵の体重の偏りを防止することができる。したがって、靴の中敷き１の形状によって、重心を正しい位置に導くことができる。
また、シート部２の中央前壁部１０ａに形成された中央凸部１４も含めて、足の裏に不要な隙間を形成しないで足の各骨及び関節を適切にホールドすることができる。
【００３９】
また、内側壁部８’、外側壁部９’及び踵部７’の立ち上がり部７ｗ’により図３に示す足の第１中足骨５１、第５中足骨５５及び踵の下方側面をしっかりと、しかし窮屈にならないようにホールドすることができる。
これらの作用が相互的に組み合わさることにより、多数の関節で連結された足の骨が、ずれたり歪んだりすることを防止して適切に組み上がった状態を保持し易くなり、歩行その他の運動時に、足の骨のずれに基づく姿勢の歪みの発生が防止されるという効果を奏する。
【００４０】
一方、本発明の靴の中敷き１の支持プレート３は、他の靴の中敷き１で一般的に使用されているＴＰＵ樹脂の硬度範囲であっても、長時間の使用により足がやや痛くなることがあるという問題があった。これは、おそらく本発明の支持プレート３の形状に基づくものと考えられるが、これについて鋭意研究した結果、支持プレート３の硬度を４０Ｄ以上７２Ｄ以下に設定することにより、上記問題が解消された。
【００４１】
なお、シート部２及び支持プレート３は、図７に示すように、図３に示す外果６１の真下に位置する踵部７，７’及び／又はアーチ部６，６’の基端部に側面から対向させるよう上方に突出した延出部２０を有しているとなおよい。この場合、延出部２０はシート部２及び支持プレート３の双方により、すなわちシート部２の周縁と支持プレート３の周縁が延出部２０において略平行となっているとよい。
この構成によれば、足の回外（すなわち足が小指側のサイドを中心にひねろうとする動き）を防止することができるという効果を奏する。
【００４２】
また、シート部２は、異なる硬度及び反発弾性率を有する２層の発泡樹脂層を備えていてもよく、上面側の第１層及び前記第１層よりも下側に設けられた第２層がエチレン酢酸ビニル共重合体を主成分とする反発弾性樹脂層を構成するのが好ましい。
さらに、前記第１層と前記第２層とは、アスカーゴム硬度計（Ｃ型）を用いた測定硬度及びＩＳＯ４６６２：２００９により計測した反発弾性率が以下に示す関係にあるのが好ましい。
測定硬度    前記第１層＜前記第２層、かつ、
反発弾性率  前記第１層＜前記第２層
【００４３】
具体的には、前記第１層として、ＥＶＡを主成分とした樹脂を用い、反発弾性率を調整するために、ポリエチレン、ポリプロピレン、シリコン樹脂等の衝撃吸収材を混合した樹脂層とすることもできる。
より具体的には、アスカーゴム硬度計（Ｃ型）を用いて測定した硬度が２３以上２８以下であって、ＩＳＯ４６６２：２００９により計測した反発弾性率が４７％以上５３％以下であり、さらに好ましくは４９％以上５２％以下である樹脂を好適に用いることができる。
また、前記第１層は、ポリウレタン発泡樹脂層であってもよい。
【００４４】
前記第２層として、具体的には、ＥＶＡを主成分とした樹脂を用い、反発弾性率を調整するために、ＥＶＡを主成分とした発砲樹脂を圧縮した樹脂を用いることができる。より、具体的には、アスカーゴム硬度計（Ｃ型）を用いて測定した硬度が５０以上６０以下であって、ＩＳＯ４６６２：２００９により計測した反発弾性率が５５％以上６５％以下であるとよい。更に、アスカーゴム硬度計（Ｃ型）を用いて測定した硬度が５３以上６０以下であって、５７％以上５９％以下であるのが好ましい。
【００４５】
第１層と第２層とは、プレスされた上で、第１層の上面に繊維製のシート層が設けられている。この状態で、第１層は、限定されるわけではないが、厚さ０．５ｍｍ以上４．０ｍｍ以下に形成されている。また、第２層は、限定されるわけではないが、厚さ１．０ｍｍ以上４．０ｍｍ以下に形成されている。なお、第２層は、つま先よりも踵の方を厚く形成してもよく、第１層がポリウレタン層の場合は、第１層及び第２層共に、第１層及び第２層がＥＶＡを主成分としている場合に比べて厚く形成することもある。
【００４６】
上記構成により、第２層に適切な硬度及び反発性を持たせて、足に対するクッション性を発揮させ、かつ、第１層に低い硬度即ち柔軟性及び低反発性を持たせることにより、第１層を足裏の形状に沿わせてしっかりと保持し、柔らかく足を支持することができる。したがって、足の骨格を可及的に正しく保持し足への衝撃から足を有効に保護することができるという効果を奏する。
【実施例】
【００４７】
以下、実施例を用いた本発明を詳細に説明するが、本発明の範囲は実施例に限定されるものではない。【００４８】
［実施例１］
エチレン酢酸ビニル共重合体（ＥＶＡ）等の軟質合成樹脂により、アスカーゴム硬度計（Ｃ型）を用いた測定で硬度約５５としたシート部２と、熱可塑性ポリウレタン（ＴＰＵ）等の硬質樹脂により、アスカーゴム硬度計（Ｄ型）を用いた測定で４０Ｄの支持プレート３とを備えた上記実施態様に示す靴の中敷きを作成した。【００４９】
［実施例２］
支持プレート３の硬度を、アスカーゴム硬度計（Ｄ型）を用いた測定で５５Ｄとした以外は、実施例１と同様の靴の中敷きを作成した。【００５０】
［実施例３］
支持プレート３の硬度を、アスカーゴム硬度計（Ｄ型）を用いた測定で６３．５Ｄとした以外は、実施例１と同様の靴の中敷きを作成した。【００５１】
［比較例］
支持プレート３の硬度を、アスカーゴム硬度計（Ｄ型）を用いた測定で７２Ｄ（比較例）とした以外は、実施例１と同様の靴の中敷きを作成した。【００５２】
（評価方法）
身長約１７２ｃｍ、体重７５ｋｇの成人男性Ａ，身長約１６２ｃｍ、体重５３ｋｇの成人男性Ｂ、身長約１６０ｃｍ、体重５２ｋｇの成人女性Ｃ、身長約１６４ｃｍ、体重５６ｋｇの成人女性Ｄに、実施例１〜実施例３の中敷き及び比較例の中敷きをそれぞれ運動靴に設置して着用させ、アスファルトを約２時間歩いた際の使用感を評価した。使用感は、２時間以内歩行時の（１）足裏のサポート感又は違和感の有無、（２）足裏の痛みの発生の有無、（３）足裏以外の痛みの発生の有無及びを評価した。なお、本実施例において、「サポート感」とは、足裏が中敷きによりホールド（保持）されている感覚があるか否かを意味し、「違和感」とは、局所的又は全体的な不快感を意味する。各評価結果を表１〜４に示す。【００５３】
【表１】
2021085574.tif 000003
【００５４】
【表２】
2021085574.tif 000004
【００５５】
【表３】
2021085574.tif 000005
【００５６】
【表４】
2021085574.tif 000006
【００５７】
表１〜表４に示した評価結果より、支持プレート３の硬度が４０Ｄの靴の中敷きは、違和感はないもののサポート感がやや弱かった。
支持プレート３の硬度が５５Ｄの靴の中敷きは、違和感はなくサポート感が良好で、足裏の痛みが生じ難いことが分かった。また、足裏以外の痛みが生じ難かったことから、足裏の形状を良好に保持できていることがうかがえた。【００５８】
支持プレート３の硬度が６３．５Ｄの靴の中敷きは、サポート感はあるが違和感が僅かに生じることがあり、長時間の使用で足裏の痛みが生じることがあることが分かった。
支持プレート３の硬度が７２Ｄの靴の中敷きは、違和感を与えやすく、短時間の使用でも足裏の痛みが生じることがあることが分かった。
【符号の説明】
【００５９】
１    靴の中敷き
２    シート部
３    支持プレート
４    爪先部
５    張り出し部
６    アーチ部
７    踵部
８    内側壁部
９    外側壁部
１０  中央壁部
１０ａ  中央前壁部
１０ｂ  中央後壁部
１３  肉厚部（シート部の一部）
１４  中央凸部
１５  内側凸条部
１６  外側凸条部
１８  貫通孔
１９  開口部
【図１】
2021085574.tif 000007
【図２】
2021085574.tif 000008
【図３】
2021085574.tif 000009
【図４】
2021085574.tif 000010
【図５】
2021085574.tif 000011
【図６】
2021085574.tif 000012
【図７】
2021085574.tif 000013
【国際調査報告】
2021085574.tif 000014
2021085574.tif 000015
2021085574.tif 000016
2021085574.tif 000017
2021085574.tif 000018
2021085574.tif 000019